(57)【特許請求の範囲】
【請求項１】
後身頃に、ショルダーポイントを始点とし、袖部の形状に合わせて所要の形状にカットされたアームホールラインが形成された衣服において、前記後身頃は、前記アームホールラインの終点が袖下の位置よりも前身頃側に突出し、袖部を受けるように裁ち出された突出部を有しており、かつ、前記突出部は縫着時に前記袖部とのみ縫合され該袖部との縫合線はＶ字状であることを特徴とする衣服。
【請求項２】
前記袖下と前記終点の間の直線距離で定める前記突出部の突出量が５〜１２ｃｍの範囲であると共に、
前記終点と前記袖下の位置の間を結ぶ一方の辺と、
前記袖下の高さ位置における水平方向の下側基準線と、前記ショルダーポイントの高さ位置における水平方向の上側基準線の間の鉛直方向の距離を３等分したうちの袖下側から数えて１つ分の高さ位置における水平ラインと、アームホールラインが交わる点をＸとするとき、このＸと前記袖下の位置を結ぶ他方の辺とのなす角度が、１０５〜１２０°の範囲であることを特徴とする請求項１に記載の衣服。
【発明の詳細な説明】
【技術分野】
【０００１】
本発明は、例えばゴルフシャツ、ポロシャツ、ブルゾン、アンダーウェアー等の衣服に関するものであり、特に、腕を下ろしたときのシルエットをすっきりと見せることが可能で、かつ、腕を前に上げた状態の方がより自然な着用感が得られる衣服に関するものである。
【背景技術】
【０００２】
図５は、従来のゴルフシャツの一例を示す図である。ゴルフシャツ１００は、図５（ａ）に示すように、後身頃１０１と前身頃１０２の各アームホールに袖部１０３が縫着されており、脇下部には、後身頃１０１と袖部１０３の縫合線Ａと、前身頃１０２と袖部１０３の縫合線Ｂが横方向に連続している。また、縦方向には、袖部１０３の端同士を縫い合わせた縫合線Ｃがあり、この縫合線Ｃの延長上に、後身頃１０１と前身頃１０２の脇部における縫合線Ｄが連続している。
【０００３】
そのため、このゴルフシャツ１００の場合、脇下部の中央よりもやや背中側の領域（図５（ａ）中、破線Ｗ１で囲まれた領域）には、縫合線Ａ〜Ｂと縫合線Ｃ〜Ｄが十字状に存在している。
【０００４】
また、図５（ｂ）に示すような後身頃２０１と前身頃２０２の間に脇身頃２０４を設けたゴルフシャツ２００の場合は、袖部２０３の端同士を縫い合わせた縫合線Ｃは、袖部２０３と脇身頃２０４の縫合線Ｅ１，Ｅ２に分岐し、この縫合線Ｅ１，Ｅ２の延長上に、後身頃２０１と脇身頃２０４の縫合線Ｆ１と、前身頃２０２と脇身頃２０４の縫合線Ｆ２が夫々連続している。
【０００５】
そのため、このゴルフシャツ２００の場合は、脇下部の中央部よりもやや背中側の領域（図５（ｂ）中、破線Ｗ２で囲まれた領域）には、縫合線Ａ、Ｅ１、Ｆ１がＹ字状に存在している。なお、図５において、一点鎖線Ｕ１，Ｕ２は、腕の断面を示している。
【０００６】
ところが、従来のゴルフシャツ１００，２００は、上記のとおり脇下部の中央部よりもやや背中側の領域Ｗ１，Ｗ２に十字状もしくはＹ字状の縫合線が存在し、この領域Ｗ１，Ｗ２の生地の伸縮性が低いために、腕を下ろした状態のときに、図６に示すように、後身頃１０１，２０１に押されるようにして袖部１０３，２０３に生地のダブつき１０５，２０５が生じるという問題があった。
【０００７】
このダブつき１０５，２０５は、腕を下ろしたときにアームホールラインＡに沿って生じるものであるため、背中側のシルエットが損なわれてしまう。また、このダブつき１０５，２０５の部分の生地の摩擦によって、腕を前後に動かす動作や、腕を振り回す動作が快適に行えない。
【０００８】
特にゴルフは、メンタル面も大きく影響するスポーツであるため、例えばアドレス、バックスイングからトップまでの間に、ゴルフシャツの袖部の生地のダブつきのために腕の回転が充分でないと感じると、イメージどおりのスイングができずにミスショットをしたり、飛距離が伸びないことがある。
【０００９】
また、トップからフィニッシュの間においても、ゴルフシャツの袖部の生地のダブつきのために違和感があると、スイングのスムーズな動きを阻害する要因となる。また、袖部の生地のダブつきを常に気にしていると、集中力が散漫になるおそれがある。
【００１０】
図７は、従来のゴルフシャツ２００の後身頃２０１、前身頃２０２、袖部２０３、脇身頃２０４の展開図であり、（ａ）は全体図、（ｂ）は後身頃２０１の上側半分の拡大図である。
【００１１】
従来の衣服の後身頃は、このゴルフシャツ２００の後身頃２０１と同様、ショルダーポイント２０１ａを始点にアームホールライン２０１ｂが形成されており、このアームホールライン２０１ｂの終点２０１ｃが袖下に位置しているものである（例えば、特許文献１の図４を参照）。なお、２０１ｄは肩線を示している。
【先行技術文献】
【特許文献】
【００１２】
【特許文献１】特開２００４−２１１２５３号公報
【発明の概要】
【発明が解決しようとする課題】
【００１３】
本発明が解決しようとする問題点は、従来の衣服は、脇下部の中央部よりもやや背中側の領域に縫合線が存在するために、腕を下ろした状態のときにアームホールラインに沿って生地のダブつきが生じて背中側のシルエットが損なわれてしまう点、及び、このダブつき部分の生地の摩擦によって、腕を前後に動かす動作や、腕を振り回す動作が快適に行えない点である。
【課題を解決するための手段】
【００１４】
本発明の衣服は、後身頃に、ショルダーポイントを始点とし、袖部の形状に合わせて所要の形状にカットされたアームホールラインが形成された衣服において、前記後身頃は、前記アームホールラインの終点が袖下の位置よりも前身頃側に突出し、袖部を受けるように裁ち出された突出部を有しており、かつ、前記突出部は縫着時に前記袖部とのみ縫合され該袖部との縫合線はＶ字状であることを最も主要な特徴としている。
【発明の効果】
【００１５】
上記本発明では、従来の衣服の脇下部に存在した十字状もしくはＹ字状の縫合線の代わりに、後身頃のアームホールの終点が袖下の位置よりも前身頃側に突出し、袖部を受けるように裁ち出された突出部が存在するので、この部分の伸縮性が良好となり、腕を下した状態のときに後身頃のアームホールラインを上下方向に引っ張る力が作用する。
【００１６】
そのため、従来、腕を下ろしたときに生じていた袖部の生地のダブつきは、上記本発明の衣服においては、後身頃のアームホールラインの下に潜り込むように折り畳まれて吸収される。よって、上記本発明によれば、腕を下ろしたときの生地のダブつきがなくなり、背中側から見たときのシルエットがすっきりとしたものとなる。
【００１７】
また、上記本発明によれば、従来の衣服の脇下部に存在した十字状もしくはＹ字状の縫合線が無いので、素材のストレッチ性が充分に生かされ、袖部の布地が上腕三頭筋を撫でるように刺激する。よって、上記本発明によれば、腕を前に上げる動作をした時の方がストレスがなく、より自然な着用感が得られる。
【図面の簡単な説明】
【００１８】
【図１】本発明の衣服の後身頃、前身頃、袖部の展開図である。
【図２】本発明の衣服の脇下部の構成を示す図である。
【図３】本発明の衣服において、腕を下ろした状態のときに袖部に生じる生地のダブつきが後身頃の下に潜り込むように折り畳まれて吸収される状態を示す図である。
【図４】本発明の後身頃の最適な構成を説明する図である。
【図５】従来のゴルフシャツの一例を示す図であり、（ａ）は脇下部に十字状の縫合線が存在する例の図、（ｂ）は脇下部に逆Ｙ字状の縫合線が存在する例の図である。
【図６】従来のゴルフシャツにおいて腕を下ろした状態のときに袖部に生じる生地のダブつきを示す図であり、（ａ）は図５（ａ）のゴルフシャツ、（ｂ）は図５（ｂ）のゴルフシャツにおける説明図である。
【図７】従来のゴルフシャツの後身頃、前身頃、袖部、脇身頃の展開図であり、（ａ）は全体図、（ｂ）は後身頃の上側半分の拡大図である。
【発明を実施するための最良の形態】
【００１９】
以下、本発明を実施するための最良の形態を、添付図面を用いて具体的に説明する。図１〜図４は本発明の衣服を例えばゴルフシャツＳとした実施例である。
【実施例】
【００２０】
図１は、本実施例のゴルフシャツＳの後身頃１、前身頃２、袖部３の各パーツの形状を示す図である。後身頃１には、肩線１ｄの端部であるショルダーポイント１ａを始点として、袖部３の形状に合わせてカットされたアームホールライン１ｂが形成されている。なお、２ｂは、前身頃２のアームホールラインを示している。
【００２１】
本発明では、図１に示すように、後身頃１のアームホールライン１ｂの終点１ｅ（ショルダーポイント１ａとは逆側の端部）が、袖下１ｃの位置よりも前身頃２側に突出した形状となっている。
【００２２】
つまり、本実施例の後身頃１は、袖部３を受けるように前身頃２の方向に裁ち出された突出部４を有したものである。そして、アームホールライン１ｂは、袖下１ｃの位置が最も低い底部となっており、終点１ｅに向かうに従って袖下１ｃよりも徐々に高さが高くなるカーブを有した形状とされている。
【００２３】
図２は、本実施例のゴルフシャツＳの脇下部の構成を示す図である。後身頃１と前身頃２の各アームホールライン１ｂ，２ｂに袖部３が縫着されているが、本発明では、後身頃１に突出部４が存在するため、後身頃１と袖部３の縫合線Ａは、図２に示すようなＶ字状のものとなる。なお、Ｂは前身頃２と袖部３の縫合線を、Ｃは袖部１０３の端同士を縫い合わせた縫合線を、Ｄは後身頃１と前身頃２の脇部における縫合線を、一点鎖線Ｕは腕の断面を示している。
【００２４】
したがって、上記本実施例の構成によれば、脇下部の中央よりもやや背中側の領域（図２中、破線Ｗで囲まれた領域）には縫合線が存在せず、この部分の生地の伸縮性が阻害されない。
【００２５】
そのため、本実施例のゴルフシャツＳでは、図３に示すように、腕を下した状態のときに、矢印Ｇに示す上下方向に後身頃１のアームホールライン１ｂを引っ張る力が作用するので、袖部３に生じる生地のダブつきは、後身頃１のアームホールライン１ｂ下に潜り込むように折り畳まれて吸収され、目立たないものとなる。
【００２６】
よって、本実施例のゴルフシャツＳを着用した場合、腕を下ろしたときの袖部３における生地のダブつきがなくなり、背中側のシルエットがすっきりする。
【００２７】
また、本実施例のゴルフシャツＳは、図２中の破線Ｗで示した領域に従来の衣服では存在した十字状もしくはＹ字状の縫合線が存在しないので、素材のストレッチ性が充分に生かされる。
【００２８】
よって、本実施例のゴルフシャツＳを着用した場合は、スイングのスムーズな動きを阻害することがなく、ゴルファーはプレーに集中できる。
【００２９】
図４は、本発明の後身頃１の最適な構成を説明する図である。
本発明者が種々検討したところによると、上述した本発明の作用・効果が好適に得られるようにするためには、後身頃１の突出部４は、次の条件１及び２を満たすように構成すれば良いことが判明している。
【００３０】
（条件１）
突出部４の突出量４ａは、５〜１２ｃｍの範囲であることが好ましい。なお、突出量４ａは、袖下１ｃと終点１ｅの間の直線距離で定める。
【００３１】
（条件２）
終点１ｅと袖下１ｃの位置の間を結ぶ一方の辺Ｈ１と、次の手順により定義される他方の辺Ｈ２とのなす角度は、１０５〜１２０°の範囲であることが好ましい。
【００３２】
（他方の辺Ｈ２を定義する手順）
（１）  先ず、袖下１ｃの高さ位置における水平方向の下側基準線Ｌ１を定める。次に、ショルダーポイント１ａの高さ位置における水平方向の上側基準線Ｌ２を定める。
【００３３】
（２）  上記（１）で定めた下側基準線Ｌ１と上側基準線Ｌ２の間の鉛直方向の距離を３等分し、下側基準線Ｌ１から前記３等分したうちの１つ分の高さ位置における水平ラインＬ３を定める。
【００３４】
（３）  上記（２）で定めた水平ラインＬ３と、アームホールライン１ｂが交わる点をＸとするとき、このＸと袖下１ｃの位置を結んだものを他方の辺Ｈ２とする。
【００３５】
以上の条件１及び条件２を充たすような突出部４を設けた場合、本発明の作用・効果が最も好適に発揮される。
【００３６】
本発明は、前記の実施例に限るものではなく、各請求項に記載の技術的思想の範囲内において、適宜実施の形態を変更しても良いことは言うまでもない。
【００３７】
例えば、前記の実施例では、ゴルフシャツに適用する場合の例を開示したが、本発明は一般のポロシャツ、ブルゾン、アンダーウェアー等にも適用でき、衣服の種類は特に問わない。
【００３８】
また、前記の実施例では、後身頃と前身頃と袖部で構成されるゴルフシャツＳを開示したが、本発明は、後身頃と前身頃の間に脇身頃が存在する衣服にも適用できる。
【符号の説明】
【００３９】
Ｓ    ゴルフシャツ（衣服）
１    後身頃
１ａ  ショルダーポイント
１ｂ  アームホールライン
１ｃ  袖下
１ｄ  肩線
１ｅ  アームホールラインの終点
２    前身頃
３    袖部
４    突出部
４ａ  突出量
Ｈ１  一方の辺
Ｈ２  他方の辺
Ｌ１  下側基準線
Ｌ２  上側基準線
Ｌ３  水平ライン
Ｘ    水平ラインとアームホールラインが交わる点
【図１】
0005662964.tif 000002
【図２】
0005662964.tif 000003
【図３】
0005662964.tif 000004
【図４】
0005662964.tif 000005
【図５】
0005662964.tif 000006
【図６】
0005662964.tif 000007
【図７】
0005662964.tif 000008